(57)【特許請求の範囲】
【請求項１】
雪の解け難い北側屋根面など屋根面の雪解け具合に応じ、当該屋根において優先的に融雪を必要とする箇所に相当する屋根裏空間部位に温風吹出し部となる穴を集中的に形成してなるダクトを、その意図的配置となるよう規制した配管となした上で温風器の送風側に接続し、それら優先的に融雪を必要とする箇所に相当する屋根裏空間部位に集中的に配した前記ダクト温風吹出し部からの拡散によって屋根裏空間全体に温風を送り込めるように設備すると共に、当該屋根裏空間の空気を排気するための換気ファンから延びる換気ダクトを、その中途に組み込んだダンパーによって一方は前記温風器の吸気側に接続し、他方は当該屋根裏空間に望ませて設けられているガラリに通じさせ、何れか一方がダンパーの切替え操作によって選択できるように設備した上、冬期間など屋根裏空間に温風を送り込む必要のあるときは、ガラリを閉鎖すると共に換気ダクトはダンパー切替え操作によって温風器に通じさせた上、換気ファンの作動によって換気ダクトを通じて温風器に戻る空気温度を温度センサーにて検知し、当該温風器の燃焼の強弱及び入切を調節し得るようにする一方、冬期間以外で屋根裏空間に温風を送り込む必要のないときは、温風器を作動停止とした上、ガラリを開放して当該屋根裏空間を外方に通じさせて自然換気し得るようにすると共に、ダンパー切替え操作によって換気ダクトをガラリに通じさせておき、同換気ファンの作動によって当該屋根裏空間の暖気を強制換気し得るようにしたことを特徴とする屋根裏空間の温度制御方法。
【発明の詳細な説明】
【０００１】
【産業上の利用分野】
この発明は、屋根裏空間の温度制御方法に関するものである。
【０００２】
【従来の技術及びその問題点】
従来屋根の消雪装置に関しては、屋根材の裏あるいは上面に温水パイプを敷設して循環させる方法や電熱を利用する方法、屋根材の下に空気流路を設けて温風を送風する方法などがある。
【０００３】
しかしながら、上記何れの方法も家屋の新築時とか大改修時に設置することを前提としたもので、既存の建物に設置することは費用も嵩張り、更に、冬季間のランニングコストも１ケ月当り２万円から１０万円にもなることから未だあまり普及せず、雪降ろしという厄介な手作業に頼っているのが殆どである。
【０００４】
【発明が解決しようとする課題】
そこで、この発明は、新築家屋は勿論のこと既存の家屋にも安価な費用で容易に設置でき、設置後の燃費や維持費も安く、且つ安全な屋根裏空間の温度制御方法を提供しようとするものである。
【０００５】
【課題を解決するための手段】
この発明の屋根裏空間の温度制御方法は、基本的に次のとおりの構成を要旨とするものである。
即ち、雪の解け難い北側屋根面など屋根面の雪解け具合に応じ、当該屋根において優先的に融雪を必要とする箇所に相当する屋根裏空間部位に温風吹出し部となる穴を集中的に形成してなるダクトを、その意図的配置となるよう規制した配管となした上で温風器の送風側に接続し、それら優先的に融雪を必要とする箇所に相当する屋根裏空間部位に集中的に配した前記ダクト温風吹出し部からの拡散によって屋根裏空間全体に温風を送り込めるように設備すると共に、当該屋根裏空間の空気を排気するための換気ファンから延びる換気ダクトを、その中途に組み込んだダンパーによって一方は前記温風器の吸気側に接続し、他方は当該屋根裏空間に望ませて設けられているガラリに通じさせ、何れか一方がダンパーの切替え操作によって選択できるように設備した上、冬期間など屋根裏空間に温風を送り込む必要のあるときは、ガラリを閉鎖すると共に換気ダクトはダンパー切替え操作によって温風器に通じさせた上、換気ファンの作動によって換気ダクトを通じて温風器に戻る空気温度を温度センサーにて検知し、当該温風器の燃焼の強弱及び入切を調節し得るようにする一方、冬期間以外で屋根裏空間に温風を送り込む必要のないときは、温風器を作動停止とした上、ガラリを開放して当該屋根裏空間を外方に通じさせて自然換気し得るようにすると共に、ダンパー切替え操作によって換気ダクトをガラリに通じさせておき、同換気ファンの作動によって当該屋根裏空間の暖気を強制換気し得るようにした構成を要旨とする屋根裏空間の温度制御方法である。
【０００６】
【実施例】
上記のとおりの構成からなるこの発明の屋根裏空間の温度制御方法の理解を助けるために、以下では図示の実施例によってその屋根裏空間の温度制御方法について詳記していくこととする。
強制給排気方式の石油温風器、強制排気方式の石油温風器、ガス温風器等室内温度を感知、燃焼制御方式で火災の危険がなく、排気ガスが屋外へ排出される一酸化炭素中毒の危険のない温風器１からの温風を、アルミ蛇腹製などのダクト２によって屋根裏３と、必要に応じて軒下４にも設置し、ダクト２は、要所要所に穴２’，２’，……（入り口より遠い方を大きい穴とするか、同一径としてループとする。）を開けてあり、温風が屋根裏に均一に廻るようになっている。
【０００７】
屋根裏３の換気は、戻りフアン５によって排気を温風器１に送風し、この戻り換気による空気温度を温度センサー６で検知して該温風器１の燃焼操作ができるようにしてあり、これによって屋根裏１の温度を制御するようになっている。
【０００８】
屋根裏１のガラリ（換気口）７は、冬期間には閉じて夏期間には開放自在とし、遠隔操作によって室内または屋外にて開閉操作が可能な構造としてある。更に、外気温感知の自動操作機や形状記憶合金バネ等による開閉器の応用が可能である。
【０００９】
軒下４にダクト２を配置し、温風を送るときには、軒下１部分に断熱材による覆い８を設け、この覆い８で囲まれた空間を通じて屋根裏３全体に送風、換気するようにする。ガラリ７も設けるとよい。この軒下空間に送られた温風は、屋根裏３に設置された換気ファンによって強制的に温風器裏面に戻り換気されるようにしておくが、夏期間は屋根裏３と換気ファンからのダクトに取付けたダンパー（ダクト送風方向切替え器）を連通させておけば、屋外への換気ができる。
【００１０】
図中、９はオイルタンク、１０はオイルサーバーで、温風器１への給油を自動とすることによって２階へのオイル供給管理が楽になる。なお、平屋建てや１階に当該温風器を設置し、ダクトにて２階屋根裏への温風供給及び戻り換気ダクトを設置する場合は不要である。
【００１１】
【作用】
この発明は、以上のようにしてなるもので、降雪時には温風器１の温風を屋根裏３、軒下４の空間に送風すると同時に戻りファン５をも作動させ、この戻り換気の空気温度を検知して温風器１の燃焼の強弱及び入切を調節する。
【００１２】
【効果】
この発明の屋根裏空間の温度制御方法は、叙上のように温風器からの温風を屋根裏に送風自在とし、屋根裏の換気は戻りフアンによって排気を自在とし、この排気による空気温度を検知して温風器の燃焼操作を制御自在とし、屋根裏のガラリは、冬期間には閉じて夏期間には開放自在としたので、下記のような効果がある。
即ち、
（１）温風は、乾燥した空気のために屋根裏に結露の生じる虞れがない。
（２）温風器、オイルサーバー等は、比較的安く買い求めることができ、安価に設置できる。
（３）既存の建物にも容易に設置できる。
（４）北側の裏面など雪の解け難い部分などには、優先的にダクトを持っていって加温できる。
（５）常に屋根裏からの排気による空気温度を検知しているので必要最小限の燃費で済ませることができ、一冬でも通常の家屋で１．５万円程である。
（６）機械が壊れても、室内等に温風器を設置しているために交換や修理が容易なものとなる。
（７）温風器吹出し口での温度が８０℃程度と、火事の心配がない。
（８）屋根裏の温度を１０〜２０℃程度に制御することにより、降雪と同時に融雪する既存のシステムに比べ、屋根裏から屋外への放熱が低いため、消雪に時間は掛かるがランニングコストを低く抑える効果がある。
（９）更に、夏期間は、屋根裏からの戻り換気装置にダンパーを取り付け、屋外への強制換気によって屋根裏の太陽熱による温度上昇を抑制し、屋根裏直下の室温上昇の抑制効果が期待される。
【図面の簡単な説明】
【図１】    この発明に係る屋根裏空間の温度制御方法を説明するための屋根消雪装置の配置図である。
【図２】    ダクトの説明図である。
【符号の説明】
１        温風器
２        ダクト
２’      同  穴
３        屋根裏
４        軒下
５        戻りファン
６        温度センサー
７        ガラリ
８        覆い
９        オイルタンク
１０        オイルサーバー
【図１】
0003773200.tif 000002
【図２】
0003773200.tif 000003